(57)【特許請求の範囲】
【請求項１】
培土製造ラインの搬送ベルトコンベア上に配置するためのホッパー支持枠（１）にホッパー（２）を固定し、そのホッパー（２）の下窄み傾斜対向側壁面（２ａ），（２ｂ）の低位置乃至中間位置に水平方向に対応する一対又は複数対の軸孔（３），（３）を貫設し、その各軸孔（３），（３）の外側には軸受け部（４），（４）を設けて、その両側の軸受け部（４），（４）に、間隔置きに多数の放射状攪拌爪（５）を突設した攪拌軸（６）をその両端部（６ａ），（６ｂ）で軸承し、その攪拌軸（６）の一方端部（６ａ）を前記ホッパー（２）外部に設けた回転駆動機（７）と回転伝達手段（８）を介して接続し、またそのホッパー（２）底部の排出口（９）の下部にその排出口（９）を塞ぐように水平に設けられた搬送ベルト（１０）を有する定量切出しベルトコンベア（１１）を設け、その搬送ベルト（１０）とベルト搬送方向側排出口（９ａ）との間に切出し口（１２）を開口させ、その切出し口（１２）にはその口（１２）を開閉する開閉調整板（１３）を設け、また前記切出し口（１２）にロータリーダンパー（１６）を設けるとともにそのロータリーダンパー（１６）の回転数を制御する制御部（１７）を設け、前記回転駆動機（７）による前記攪拌軸（６）の低速回転と、回転駆動機（１４）による前記搬送ベルト（１０）の速度とを制御する制御部（１５）を設けて成り、前記ロータリーダンパー（１６）を回転制御することにより搬送ベルト（１０）により送られる原料の量を正確に切出しできるようにしたことを特徴とする園芸用培土製造装置用定量切出しホッパー。
【請求項２】
ホッパー支持枠（１）の脚部（１ａ）に移動車輪（１８）を設け、ホッパー（２）を移動できるようにしたことを特徴とする請求項１又は２に記載の園芸用培土製造装置用定量切出しホッパー。
【発明の詳細な説明】
【０００１】
【発明が属する技術分野】
本発明は、培土製造装置において、その製造ラインへ培土原料を供給するためのホッパー装置に関する。
【０００２】
【従来の技術】
園芸用育苗培土や農業用培土（野菜、果菜、根菜、葉菜、果樹、水稲などに用いる培土）などの植物育成用培土の製造においては、原料として、多種の無機質土壌や有機質土壌の素材や、肥料としての多種の無機質肥料や有機質肥料や、土壌改良材としてのバーミキュライト、パーライト、ゼオライト、くん炭、ヤシガラ活性炭、腐葉土などが使用される。
また、有機質素材及び有機質肥料の原料には、ピートモス、ヤシの実粉砕物、黒ピート、腐葉土、樹皮、バーク堆肥、有機堆肥などが用いられる。
【０００３】
上記各種の原料からの園芸用培土（園芸用育苗培土、農業用培土などを含む）の製造装置においては、それらの原料を供給するためのホッパーが多用されている。
たとえば、特開平８−２５６５９３号の園芸用培土の製造方法と製造装置において、図５のホッパーが示されている。このホッパーでは、原料を供給する際に、排出口が目詰まりを起こすことがあり、その結果、供給停止したり、供給量が不安定となり、製造された製品が目的の配合率とはならなくなる虞があった。
【０００４】
特に、ピートモス、ヤシの実粉砕物、黒ピート、腐葉土、樹皮、バーク堆肥、有機堆肥などの有機質肥料の原料供給においては、それ自体が繊維が絡まりやすく、その上、ホッパー内で下降するにしたがって、原料が圧縮されてさらに硬くなり、排出口付近で流れが止ってしまいやすい難点があった。
【０００５】
【発明が解決しようとする課題】
本発明は、上記実情に鑑みてなされたもので、ホッパーからの原料の供給をどのような種類の原料でも、滞留させることなくスムーズに行え且つ供給量を正確に供給することができるホッパー装置を提供するものである。
【０００６】
【課題を解決するための手段】
上記課題を解決するために、本発明は、培土製造ラインの搬送ベルトコンベア上に配置するためのホッパー支持枠１にホッパー２を固定し、そのホッパー２の下窄み傾斜対向側壁面２ａ，２ｂの低位置乃至中間位置に水平方向に対応する一対又は複数対の軸孔３，３を貫設し、その各軸孔３，３の外側には軸受け部４，４を設けて、その両側の軸受け部４，４に、間隔置きに多数の放射状攪拌爪５を突設した攪拌軸６をその両端部６ａ，６ｂで軸承し、その攪拌軸６の一方端部６ａを前記ホッパー２外部に設けた回転駆動機７と回転伝達手段８を介して接続する。
【０００７】
また、そのホッパー２底部の排出口９の下部にその排出口９を塞ぐように水平に設けられた搬送ベルト１０を有する定量切出しベルトコンベア１１を設け、その搬送ベルト１０とベルト搬送方向側排出口９ａとの間に切出し口１２を開口させ、その切出し口１２にはその口１２を開閉する開閉調整板１３を設け、前記回転駆動機７による前記攪拌軸６の低速回転と、回転駆動機１４による前記搬送ベルト１０の速度とを制御する制御部１５を設ける。
【０００８】
また、前記切出し口１２にロータリーダンパー１６を設け、その回転数を制御する制御部１７を設けて成り、ロータリーダンパー１６を回転制御することにより搬送ベルト１０により送られる原料の量を正確に切出しできるようにしたことを特徴とする園芸用培土製造装置用定量切出しホッパーである。
【０００９】
また、上記構成において、前記ホッパー支持枠１の脚部１ａに移動車輪１８を設け、ホッパー２を移動できるようにしたことを特徴とするものである。
【００１０】
【発明の実施の形態】
本発明を実施するための形態を以下具体的に説明する。
本発明は、図３に示すように、培土製造ラインの搬送ベルトコンベア２２上に位置を固定するためのホッパー支持枠１にホッパー２を固定するようになっている。
そのホッパー２の上部には、原料を入れる原料投入用アオリ開閉口２４が設けられている。
【００１１】
そして、図１に示すように、そのホッパー２の下窄み傾斜対向側壁面２ａ，２ｂの低位置乃至中間位置に水平方向に対応する一対の軸孔３，３を貫設する。
その各軸孔３，３の外側には軸受け部４，４を設けて、その両側の軸受け部４，４に、間隔置きに多数の放射状攪拌爪５を突設した攪拌軸６をその両端部６ａ，６ｂで軸承する。
【００１２】
そして、その攪拌軸６の一方端部６ａを前記ホッパー２外部に設けた回転駆動機７と回転伝達手段８を介して接続する。
図１では、モーターでチェーン２５、ギヤー２６を介して攪拌軸６を回転する態様を示している。
前記チェーン２５やギヤー２６による回転伝達手段は、図１及び図２に示すように、各駆動機構にそれぞれ別の回転駆動機７を設けて各個別に駆動させることもできるが、一つの回転駆動機７から何個所かの各駆動機構に対して連動機構を設けて駆動させることもできる。そうすることにより回転駆動機７の数を節約することもできる（図省略）。
【００１３】
また、そのホッパー２底部の排出口９の下部にその排出口９を塞ぐように水平に設けられた上面側の搬送ベルト１０を有する定量切出しベルトコンベア１１を設け、前記搬送ベルト１０とベルト搬送方向側排出口９ａとの間に切出し口１２を開口させる。そして、その切出し口１２にはハンドル２１を回してその口１２の開閉をするスライド式の開閉調整板１３を設ける。
【００１４】
そして、前記回転駆動機７による前記攪拌軸６の低速回転と、回転駆動機１４による前記搬送ベルト１０の速度とを制御する制御部１５を設ける。
前記搬送ベルト１０により前記切出し口１２から開閉調整板１３の開閉調整などにより定量切り出された原料は、図４に示すように、定量切出しベルトコンベア１１の終端に設けたガイド口２３から、培土製造ラインの搬送ベルトコンベア２２上に落下する。
【００１５】
上記図１及び図２では、搬送ベルト１０の搬送速度制御により搬送ベルト１０により送られる原料の量を調整して切出しできるようにする形態であるが、これにさらに、図３及び図４に示すように、前記切出し口１２に、回転駆動機１９で回転させられるロータリーダンパー１６を設け、その回転数を制御する制御部１７を設けた形態が可能である。そして、前記ロータリーダンパー１６をインバーター制御により回転を正確に制御することにより搬送ベルト１０により送られる原料の量をより正確に切出しできるようにすることもできる。
【００１６】
また、図３に示すように、前記ホッパー支持枠１の脚部１ａに移動車輪１８を設ければ、原料の混合順番を変えたいときに、ホッパー２を移動することによって、培土製造ラインの搬送ベルトコンベア２２上の位置変えが簡単にできるようになる。
【００１７】
ホッパー２からの原料供給中に、異物混入などによる目詰まりや、原料が使い切りでなくなってしまったりしての原料供給停止となった場合のために、図３に示すように、前記搬送ベルト１０からの原料落下口にアース棒２０による感知機を取り付け、その感知によりラインを自動的に非常停止させるようにすることもできる。
なお、図中で前記回転駆動機の符号７、１４、１９は、モーターの場合を示しているが発動機などを用いても良い。
【００１８】
そして、本発明を構成する各駆動機器類の稼動については、集中制御装置やコンピュータを備えた集中制御センターで、取り付けたセンサーなどによって原料の流れを監視しつつ、各種原料の所要配合量が得られるように制御することもできる。
【００１９】
【発明の効果】
本発明は以上のようで、園芸用培土の原料を供給するホッパー２には、回転攪拌羽根５を内蔵していて、その回転攪拌羽根５を低速回転させて原料を攪拌させることにより、原料自体を揉み解すことにより、ホッパー２内の底部にある原料をバラケさせる。そしてそのことによって排出口２ａでの原料の目詰まりを防いで、原料を滞留なくスムーズに排出させることが可能となる。
この際に、供給原料自体を混合前にバラケさせることによって得られる園芸用培土製品の空隙率の向上に役立つ利点もある。
【００２０】
また、ホッパー２の下には、定量切出しベルトコンベア１１が備わり、定量切出しベルトコンベア１１の搬送ベルト１０の速度を、制御することによって、ロータリーダンパー１６によるスムーズな排出と相俟って、ホッパー２内の原料を設定した所要配合量だけ正確に、培土製造ラインの搬送ベルトコンベア２２に定量づつスムーズに供給できる。
さらに前記切出し口１２にロータリーダンパー１６を設ければ、より正確な量目の原料供給が可能となる。
以上のように本発明では、培土製造ラインの搬送ベルトコンベア上に、安定且つスムーズに正確な量の供給が可能なので、本発明を用いた製造ラインでは均一で良質な園芸用培土が連続して効率よく製造できるようになった。
【図面の簡単な説明】
【図１】本発明の製造装置の透視図的側面図。
【図２】図１の一部切欠した透視図的正面図。
【図３】別形態の製造装置の透視図的側面図。
【図４】図３の透視図的正面図。
【図５】従来のホッパーの縦断側面図。
【符号の説明】
１    ホッパー支持枠
１ａ  ホッパー支持枠の脚部
２    ホッパー
２ａ  ホッパーの下窄み傾斜対向側壁面
２ｂ  ホッパーの下窄み傾斜対向側壁面
３    軸孔
４    軸受け部
５    放射状攪拌爪
６    攪拌軸
６ａ  攪拌軸の端部
６ｂ  攪拌軸の端部
７    回転駆動機
８    回転伝達手段
９    ホッパー底部の排出口
９ａ  ベルト搬送方向側排出口
１０    搬送ベルト
１１    ベルトコンベア
１２    切出し口
１３    開閉調整板
１４    回転駆動機
１５    制御部
１６    ロータリーダンパー
１７    制御部
１８    移動車輪
１９    回転駆動機
２０    アース棒
２１    ハンドル
２２    培土製造ラインの搬送ベルトコンベア
２３    ガイド口
２４    原料投入用アオリ開閉口
２５    チェーン
２６    ギヤー
【図１】
0003542530.tif 000002
【図２】
0003542530.tif 000003
【図３】
0003542530.tif 000004
【図４】
0003542530.tif 000005
【図５】
0003542530.tif 000006